(57)【要約】【課題】一般ユーザであっても、ドキュメント情報の想定される読者に対して作成者が予め意図するような印象を与えるように、ドキュメント属性を変更することを容易に可能とする。【解決手段】表示部１４に表示されたドキュメント情報から人間が受ける印象を表す少なくとも１つの感性語情報を表示し、表示された少なくとも１つの感性語情報に対応する印象の大きさを示す値の入力を受け付け、入力された印象の大きさを示す値に対応する変更量を算出し、ドキュメント情報から同一のドキュメント属性を有する文字の個数を計数し、計数された同一のドキュメント属性を有する文字の個数が多い順に、算出された変更量が多くなるようにしてドキュメント属性を変更し、変更されたドキュメント属性を用いてドキュメント情報を表示部１４に再表示する。【選択図】図４
2014006703.tif 000002
【特許請求の範囲】
【請求項１】
ドキュメント情報を表示するドキュメント表示手段と、
前記ドキュメント表示手段に表示されたドキュメント情報から人間が受ける印象を表す少なくとも１つの感性語情報を表示する感性語情報表示手段と、
前記感性語情報表示手段により表示された少なくとも１つの前記感性語情報に対応する前記印象の大きさを示す値の入力を受け付ける入力手段と、
前記入力手段から入力された前記印象の大きさを示す値に基づいて、前記ドキュメント情報を構成する要素であるドキュメント属性を変更するドキュメント属性変更手段と、を備え、
前記ドキュメント属性変更手段により変更されたドキュメント属性を用いて前記ドキュメント情報を再表示することを特徴とするドキュメント作成支援装置。
【請求項２】
前記ドキュメント属性変更手段は、
前記入力手段から入力された前記印象の大きさを示す値に対応する変更量を算出する変更量算出手段と、
前記ドキュメント情報から同一のドキュメント属性を有する構成要素の個数を計数する計数手段とを備え、
前記計数手段により計数された同一のドキュメント属性を有する構成要素の個数が多い順に、前記変更量算出手段により算出された変更量が多くなるようにして前記ドキュメント属性を変更することを特徴とする請求項１記載のドキュメント作成支援装置。
【請求項３】
少なくとも１つの入力欄を表示する入力欄表示手段を備え、
前記入力欄表示手段は、前記入力手段から入力された前記印象の大きさを示す値を入力欄に表示することを特徴とする請求項１記載のドキュメント作成支援装置。
【請求項４】
少なくとも１つのゲージを表示するゲージ表示手段を備え、
前記ゲージ表示手段は、前記入力手段から入力された前記印象の大きさを示す値に対応した長さのゲージを表示することを特徴とする請求項１記載のドキュメント作成支援装置。
【請求項５】
少なくとも１つの軸を有するレーダーチャートを表示するレーダーチャート表示手段を備え、
前記レーダーチャート表示手段は、前記入力手段から入力された少なくとも１種類の前記印象の大きさを示す値に対応した長さを前記レーダーチャートの前記軸上の位置として表示することを特徴とする請求項１記載のドキュメント作成支援装置。
【請求項６】
少なくとも１つ領域を有する円グラフを表示する円グラフ表示手段を備え、
前記円グラフ表示手段は、前記入力手段から入力された少なくとも１種類の前記印象の大きさを示す値に対応した面積を前記円グラフの夫々の領域の面積として表示することを特徴とする請求項１記載のドキュメント作成支援装置。
【請求項７】
前記感性語情報の種類を選択肢として提示する提示手段と、
前記提示手段により提示された前記感性語情報の種類のうちの１つに対する選択を受け付ける選択手段と、
前記レーダーチャート表示手段は、前記選択手段により選択された感性語情報を前記レーダーチャートの前記軸の先端位置の近傍に表示することを特徴とする請求項４記載のドキュメント作成支援装置。
【請求項８】
前記感性語情報の種類をテキスト情報として入力するためのテキスト入力欄を表示する入力欄表示手段と、
前記入力欄表示手段により表示されたテキスト入力欄にテキスト情報が入力された場合に、前記レーダーチャート表示手段は、当該テキスト情報を感性語情報として前記レーダーチャートの前記軸の先端位置の近傍に表示することを特徴とする請求項５記載のドキュメント作成支援装置。
【発明の詳細な説明】
【技術分野】
【０００１】
本発明は、ドキュメント情報を構成する要素であるドキュメント属性を変更するのに好適なドキュメント作成支援装置に関する。
【背景技術】
【０００２】
近年、パーソナルコンピュータが普及するとともに、パーソナルコンピュータ上で利用されるデスクトップパブリッシング（ＤＴＰ）技術が発展し一般化してきている。
これに伴い、印刷に関する専門知識のないユーザが、カタログ、チラシ、パンフレットなどのビジネス用途のカラー印刷物の原稿を低コストで作成する機会が増えてきた。
同様に、インターネット上では、Ｗｅｂサイトを構成するテキスト、画像、レイアウト情報などを一元的に管理し、公開、配信するためのシステムであるシーエムエス（ＣＭＳ：Content Management System）の高機能化と一般化によって、ウエブページ作成の大衆化が進行している。
ドキュメントデザインの専門家以外のユーザによって作成されたウエブドキュメントが、インターネット上で大多数を占めるようになってきており、ビジネス向けのＷｅｂサイトでさえこのような傾向が見受けられる。
【０００３】
しかし、ドキュメント作成者であるユーザは、前述のようにドキュメントデザインに対する知識を特に持たないことが多い。
このため、想定される読者に対して、彼ら作成者が予め意図するような印象を与えることが可能なドキュメントを作成するには非常に困難があった。
このため、ユーザによっては、ドキュメント作成時に試行錯誤を繰り返すといった問題があった。
特許文献１には、ユーザが画像データを編集する際に、画像の背景、文字又はグラフなどの配色の適正を具体的な数値として提示し、配色に適した色彩を候補として提示する対話型の配色支援方法及びそれを用いた配色支援装置が開示されている。
【発明の概要】
【発明が解決しようとする課題】
【０００４】
従来、ユーザが色等の基本的なドキュメント属性を直接指定してドキュメントの編集を行なうことにより、提示されたドキュメントから読者が受けるであろう印象を操作していた。
この変更を適正に行うためには、色等の基本的なドキュメント属性とドキュメントから受ける印象との関係をユーザが理解している必要がある。
しかし、ドキュメント作成の専門家ではないユーザが昨今増加してきており、ユーザが色等の基本的なドキュメント属性と提示されたドキュメントから受ける印象との関係についての知識と経験を有している可能性は極めて低い。
このため、ユーザはドキュメント作成時に試行錯誤を繰り返すといった問題があった。
そこで、色等の基本的なドキュメント属性とドキュメントから受ける印象との関係についての知識と経験を有していない一般ユーザであっても、ドキュメントの想定される読者に対して予め意図するような印象を与えるようにドキュメント属性を変更することを容易に可能とすることが切望されている。
本発明は、上記に鑑みてなされたもので、その目的としては、一般ユーザであっても、ドキュメントの想定される読者に対して作成者が予め意図するような印象を与えるように、ドキュメント属性を変更することを容易に可能とするドキュメント作成支援装置を提供することにある。
【課題を解決するための手段】
【０００５】
上記課題を解決するため、請求項１記載の発明は、ドキュメント情報を表示するドキュメント表示手段と、前記ドキュメント表示手段に表示されたドキュメント情報から人間が受ける印象を表す少なくとも１つの感性語情報を表示する感性語情報表示手段と、前記感性語情報表示手段により表示された少なくとも１つの前記感性語情報に対応する前記印象の大きさを示す値の入力を受け付ける入力手段と、前記入力手段から入力された前記印象の大きさを示す値に基づいて、前記ドキュメント情報を構成する要素であるドキュメント属性を変更するドキュメント属性変更手段とを備え、前記ドキュメント属性変更手段により変更されたドキュメント属性を用いて前記ドキュメント情報を再表示することを特徴とするドキュメント作成支援装置である。
【発明の効果】
【０００６】
本発明によれば、表示されたドキュメント情報から人間が受ける印象を表す少なくとも１つの感性語情報を表示し、表示された少なくとも１つの感性語情報に対応する印象の大きさを示す値の入力を受け付け、入力された印象の大きさを示す値に基づいて、ドキュメント情報を構成する要素であるドキュメント属性を変更し、変更されたドキュメント属性を用いてドキュメント情報を再表示することで、一般ユーザであっても、ドキュメントの想定される読者に対して作成者が予め意図するような印象を与えるように、ドキュメント属性を変更することを容易に可能にすることができる。
【図面の簡単な説明】
【０００７】
【図１】本発明の第１実施形態に係わるドキュメント作成支援装置１のハードウエア構成を示す図である。
【図２】図１に示すドキュメント作成支援装置１の表示部１４に表示される内容を示す図である。
【図３】第１実施形態において用いる、ドキュメント属性の変更量を求めるための変換テーブルを示す図である。
【図４】本発明の第１実施形態に係わるドキュメント作成支援装置１の動作を説明するためのフローチャートである。
【図５】本発明の第２実施形態に係わるドキュメント作成支援装置１の動作を説明するためのフローチャートである。
【図６】ドキュメント作成支援アプリケーションプログラムを実行することで表示部１４に表示される内容の第１変形例を示す図である。
【図７】ドキュメント作成支援アプリケーションプログラムを実行することで表示部１４に表示される内容の第２変形例を示す図である。
【図８】ドキュメント作成支援アプリケーションプログラムを実行することで表示部１４に表示される内容の第３変形例を示す図である。
【図９】ドキュメント作成支援アプリケーションプログラムを実行することで表示部１４に表示される内容の第４変形例を示す図である。
【図１０】ドキュメント作成支援アプリケーションプログラムを実行することで表示部１４に表示される内容の第５変形例を示す図である。
【発明を実施するための形態】
【０００８】
本発明の実施形態について説明する。
本実施形態によれば、表示部に表示されたドキュメント情報から人間が受ける印象の種類と、その大きさについての指示に基づいて、読者が受ける印象を変更するためには、ドキュメントの使用色とその面積比、使用フォントの種類、サイズ、色、その他の属性（ボールド、イタリック等）等のドキュメント属性とドキュメント観察時の印象とを関連づけた変換テーブルを補助記憶手段やネットワークＮ上に予め準備しておき、バスやネットワークＮを介して指示された印象の種類とその大きさからＲＡＭ上でデータベースを参照し、ドキュメント属性の変更量を求め、これをＶＲＡＭに展開されたドキュメント情報に反映することを特徴となっている。
【０００９】
以下、図面を参照して、本発明の実施形態について説明する。
＜第１実施形態＞
図１を参照して、本発明の第１実施形態に係わるドキュメント作成支援装置１のハードウエア構成について説明する。
補助記憶部１１は、ハードディスクやＤＶＤ−ＲＡＭ等の記憶装置に接続されており、ドキュメント情報を保存している。
表示制御部１２は、ドキュメント情報や画像情報を入力してＶＲＡＭ１３上に表示情報として展開しておき、表示部１４の表示レートに従ってＶＲＡＭ１３から表示情報を読み出し、表示部１４の画面上の表示領域にドキュメント情報や画像情報を表示する。
表示部１４は、液晶パネルやＣＲＴ表示装置からなり、ドキュメント情報や画像情報やデータ入力領域を表示画面上に表示する。
【００１０】
Ｉ／Ｏコントローラ１５は、図示しないマウス、キーボードやタッチパネル等からなる入力手段に接続されており、ユーザによる操作入力を受け付ける。
Ｉ／Ｏコントローラ１５を介して入力されたテキスト情報、位置情報、クリック情報等がＲＡＭ１６に一時的に保存される。
ＣＰＵ１７は、ＲＯＭ１８又は補助記憶部１１から読み込んだＯＳをＲＡＭ１６上にブートして実行しておき、このＯＳ上でＲＯＭ１８又は補助記憶部１１から読み出したアプリケーションソフトウエアのプログラムを実行することで、バス１９上に接続されている各部を制御する。
ネットワークインターフェース２０は、所定のプロトコルによりネットワークＮと接続し、ネットワークＮを介して接続されている外部に設けられたＷｅｂサーバやパーソナルコンピュータ、データベースサーバ等と通信する。
【００１１】
図１、図２および図３を参照して、本発明の第１実施形態に係わるドキュメント作成支援装置１の基本的な動作について説明する。
まず、ドキュメント作成支援装置１に電源が投入されると、ＣＰＵ１７は、ＲＯＭ１８又は補助記憶部１１から読み込んだＯＳをＲＡＭ１６上にブートして実行される。
ＣＰＵ１７は、このＯＳ上でＲＯＭ１８又は補助記憶部１１から読み出したアプリケーションソフトウエアの一例としてドキュメント作成支援アプリケーションプログラムを実行する。
ＣＰＵ１７は、補助記憶部１１に記憶されたドキュメント情報を読み込み、表示制御部１２を介してＶＲＡＭ１３上にドキュメント情報を展開し、図１に示すように、表示部１４の表示画面１４ａ上のドキュメント表示領域１４ｂに表示する。
さらに、ＣＰＵ１７は、ドキュメント作成支援アプリケーションプログラムを実行することで、図１に示すように、表示部１４の表示画面１４ａ上にデータ入力領域１４ｃ、１４ｄを表示する。
【００１２】
ここで、図２を参照して、ドキュメント作成支援アプリケーションプログラムを実行することで表示部１４に表示される内容について説明する。
図２において、表示部１４の表示画面１４ａ上にはドキュメント表示領域１４ｂ、データ入力領域１４ｃ、１４ｄが表示される。
ドキュメント表示領域１４ｂには、所望のドキュメント情報を表示することが可能である。
ドキュメント情報は、一般に、ドキュメントのタイトルを示すタイトル領域１４ｂａ、テキストを示すテキスト領域１４ｂｂ、背景色を有するテキスト領域１４ｂｃ、写真やイラストを有する写真領域１４ｂｄとが表示されている。
【００１３】
また、データ入力領域１４ｃ、１４ｄの下方には、テキスト情報として「暖かく」１４ｅ、「活発に」１４ｆが夫々に表示される。
ここで、テキスト情報として「暖かく」１４ｅ、「活発に」１４ｆとは、表示部１４に表示されたドキュメント情報から人間が受ける印象を表す感性語情報を表わす。
これに対して、データ入力領域１４ｃ、１４ｄでは、表示された感性語情報に対応する人間の印象の大きさを示す値％の入力を受け付ける。なお、入力される数値は０〜１００までの数値を有効とする。
表示画面の右下部には、実行ボタン１４ｇが表示されており、データ入力領域１４ｃ、１４ｄに数値データが入力された後に、実行ボタン１４ｇへのクリック操作を受け付ける。
実行ボタン１４ｇへのクリック操作を受け付けた場合、データ入力領域１４ｃ、１４ｄに入力された数値データがＩ／Ｏコントローラ１５を介してＲＡＭ１６に一時的に保存される。
このように、データ入力領域１４ｃ、１４ｄから入力された印象の大きさを示す値を入力欄に表示することで、ユーザの意図する印象の大きさを示す値を目視確認しながら入力することができる。
【００１４】
次に、ドキュメント属性について説明する。
ドキュメント情報には、背景色が設定されたテキスト情報や写真情報、イラスト情報等が１頁に配置されている。
テキスト情報に関するドキュメント属性には、使用フォントの種類、文字サイズ、文字色、その他の属性（ボールド、イタリック等）、文字飾り等が指定可能である。
また、テキスト情報には背景色が設定可能である。
【００１５】
次に、図３を参照して、ドキュメント属性の変更量を求めるための変換テーブルについて説明する。
図３において、表示されているドキュメント情報から人間が受ける印象を表す感性語の種類を１列目に示す。
感性語に対応する大きさの範囲を２列目に示す。
表示されているドキュメント情報内の最大面積を占める色領域の色度値、色再現領域におけるＣＩＥＬ＊ａ＊ｂ＊値の増分を３列目から５列目までに示す。
また、表示されているドキュメント情報内で２番目に大きな面積を占める色領域の色度値の増分を６列目から８列目までに示す。
【００１６】
ここで、表示部１４の表示画面上に表示されているドキュメント情報に対して、人間が受ける印象を例えば４０％暖かくするには、表示されているドキュメント情報内の最大面積を占める色領域のＬ＊を３、ａ＊を２、ｂ＊を０だけ夫々に増加させ、ドキュメント情報内で２番目に大きな面積を占める色領域のＬ＊を２、ａ＊を２、ｂ＊を０だけ夫々に増加させれば良いことを示す。
なお、Ｌ＊、ａ＊、ｂ＊はＣＩＥ（国際照明委員会）が１９７６年に規定した三次元で表される表色空間における色度座標の値である。
なお、図３においては、簡単のため、２個の色領域に対応した例を示すが、ドキュメント情報の３番目以降に大きな面積を占める色領域に関するデータを用いても良い。
また、本実施形態では、印象の種類として「暖かく」、「活発に」を例示したが、「クールに」や「豪華に」などこれ以外の感性語であってもよい。
また、ドキュメント属性として、各色領域の面積や位置など他の属性を用いてもよい。
【００１７】
次に、図４を参照して、本発明の第１実施形態に係わるドキュメント作成支援装置１の動作を説明する。
上述したように、ドキュメント作成支援装置１に電源が投入されると、ＣＰＵ１７は、ＲＯＭ１８又は補助記憶部１１から読み込んだＯＳをＲＡＭ１６上にブートして実行される。
ＣＰＵ１７は、このＯＳ上でＲＯＭ１８又は補助記憶部１１からＲＡＭ１６上に読み出したアプリケーションソフトウエアの一例としてドキュメント作成支援アプリケーションプログラムを実行する。
このとき、ＲＡＭ１６上には変換テーブルが記憶される。
まず、ステップＳ１０では、ＣＰＵ１７は、所望のドキュメント情報を表示する。
すなわち、ＣＰＵ１７は、補助記憶部１１に記憶されたドキュメント情報を読み込んでＲＡＭ１６に展開し、さらに、表示制御部１２を介してＶＲＡＭ１３上にドキュメント情報を展開し、図１に示すように、表示部１４の表示画面１４ａ上の左側にあるドキュメント表示領域１４ｂに表示する。
【００１８】
次いで、ステップＳ１５では、ＣＰＵ１７は、感性語情報とデータ入力領域を表示する。
すなわち、図２に示すように、表示部１４の表示画面１４ａ上にはドキュメント表示領域１４ｂ、データ入力領域１４ｃ、１４ｄが表示される。
また、データ入力領域１４ｃ、１４ｄの下方には、テキスト情報として「暖かく」１４ｅ、「活発に」１４ｆが夫々に表示される。
表示画面の右下部には、実行ボタン１４ｇが表示される。
ステップＳ２０では、ＣＰＵ１７は、感性語情報に対する指示値の入力を受け付ける。
すなわち、ユーザによるキーボード操作に応じて、データ入力領域１４ｃ、１４ｄに数値データが入力されると、データ入力領域１４ｃ、１４ｄに入力された数値データがＩ／Ｏコントローラ１５を介してＲＡＭ１６に一時的に保存される。
【００１９】
ここで、説明の簡単化のために、感性語「暖かく」に対応した印象の大きさとしてデータ入力領域１４ｃに「３５」％と入力されたこととして説明する。
次いで、ステップＳ２５では、ＣＰＵ１７は、実行ボタン１４ｇへのマウスによるクリック操作を受け付ける。
実行ボタン１４ｇへのクリック操作を受け付けた場合に、ステップＳ３０に進む。
一方、実行ボタン１４ｇへのクリック操作を受け付けていない場合に、ステップＳ２０に戻る。
実行ボタン１４ｇへのクリック操作を受け付けた後、ステップＳ３０では、ＣＰＵ１７は、入力された指示値の大きさに対応した範囲を求める。
すなわち、感性語「暖かく」に対応した印象の大きさとして「３５」％がＲＡＭ１６に記憶されているので、ＣＰＵ１７は、ＲＡＭ１６から数値データ（３５％）を読み出す。
【００２０】
一方、ＲＡＭ１６上には変換テーブルが記憶されているので、印象の大きさを示す数値データ（３５％）は２０％〜４０％の範囲内にある。
次いで、ステップＳ３５では、ＣＰＵ１７は、ドキュメント属性の変更量を算出する。
すなわち、感性語「暖かく」に対応した印象の大きさとして「３５」％がＲＡＭ１６に記憶されているので、ＣＰＵ１７は、印象の大きさを示す数値データの範囲２０％〜４０％に対応する変更量を変換テーブルから読み出す。
人間が受ける印象を例えば２０％〜４０％の範囲で暖かくする場合、表示されているドキュメント情報内の最大面積を占める色領域について、変換テーブルからＬ＊として「３」、ａ＊として「２」、ｂ＊として「０」を読み出してＲＡＭ１６に記憶する。
また、表示されているドキュメント情報内で２番目に大きな面積を占める色領域について、Ｌ＊として「２」、ａ＊として「２」、ｂ＊として「０」を読み出してＲＡＭ１６に記憶する。
【００２１】
次いで、ステップＳ４０では、ＣＰＵ１７は、表示中のドキュメント情報内の各色の面積を算出する。
すなわち、ドキュメント情報は文字単位で色領域の色度値（Ｌ＊，ａ＊，ｂ＊）を有しており、各文字の面積（文字を構成する線の面積）はフォント種と解像度から既知なので、ＲＡＭ１６上に展開されているドキュメント情報の全ての文字列に対して、順次に色度値（Ｌ＊，ａ＊，ｂ＊）を抽出し、色度値が同じ値を示す画素数ｎ１〜ｎ９９（例えば９９種類の色度値があるとする）を夫々の色度値（Ｌ＊，ａ＊，ｂ＊）毎に算出する。なお、本実施形態では、ドキュメント情報内の各色の面積を算出する際に、色度値が同じ値を示す文字の画素数を算出しているが、文字の他に、符号、記号、装飾類、矢印、かっこ類、特殊文字、顔文字等のうちドキュメント属性を有するドキュメント情報の最小単位である構成要素であればその画素数を計数することが可能である。
【００２２】
次いで、ステップＳ４５では、ＣＰＵ１７は、各色の面積比を算出する。
すなわち、ドキュメント全体の画素数Nを算出し、Ｎに対する色度値毎のｎ１〜ｎ９９の夫々の割合、すなわち、各色の面積比Ｓｒ１〜Ｓｒ９９（ｎ１／Ｎ〜ｎ９９／Ｎ）を算出する。
次いで、ステップＳ５０では、ＣＰＵ１７は、表示中のドキュメント情報内で最大面積を占める色となる色度値（Ｌ＊，ａ＊，ｂ＊）を特定する。
すなわち、面積比Ｓｒが最大であるときの色度値（Ｌ＊，ａ＊，ｂ＊）が、表示されているドキュメント情報内の最大面積を占めている色度値である。
なお、面積比Ｓｒが２番目に多かったときの色度値（Ｌ＊，ａ＊，ｂ＊）が、表示されているドキュメント情報内の２番目の面積を占める色度値（Ｌ＊，ａ＊，ｂ＊）である。
【００２３】
次いで、ステップＳ５５では、ＣＰＵ１７は、表示中のドキュメント情報内で最大面積を占める色の色度を変更する。
すなわち、ＲＡＭ１６上に展開されているドキュメント情報の全ての文字列に対して、順次に色度値を抽出し、抽出した文字の色度値が最大面積を占めている色度値と一致している場合には、当該文字の色度値の成分を示すＬ＊、ａ＊、ｂ＊を読み出し、Ｌ＊として「３」、ａ＊として「２」、ｂ＊として「０」の値だけ加算し、加算結果を当該文字の色度値の成分として書き替える。
同様に、ＲＡＭ１６上に展開されているドキュメント情報の全ての文字列に対して、順次に色度値を抽出し、抽出した文字の色度値が２番目に大きい面積を占めている色度値と一致している場合には、当該文字の色度値の成分を示すＬ＊、ａ＊、ｂ＊を読み出し、Ｌ＊として「３」、ａ＊として「２」、ｂ＊として「０」の値だけ加算し、加算結果を当該文字の色度値の成分として書き替える。
【００２４】
次いで、ステップＳ６０では、ＣＰＵ１７は、ドキュメント情報を再表示する。
すなわち、ステップＳ５５において、最大面積を占めている色と、２番目に大きい面積を占めている色の色度値が変更され、ＲＡＭ１６に展開されているので、さらに、表示制御部１２を介してＶＲＡＭ１３上にドキュメント情報を展開し、図２に示すように、表示部１４の表示画面１４ａ上の左側にあるドキュメント表示領域１４ｂに表示する。
この結果、最大面積を占めている色と、２番目に大きい面積を占めている色の色度値が変更されたドキュメント情報が表示部１４に表示される。
このように、ドキュメント情報を表示部に表示し、表示されたドキュメント情報から人間が受ける印象を表す少なくとも１つの感性語情報を表示しておき、表示された少なくとも１つの感性語情報に対応する印象の大きさを示す値の入力を受け付け、入力された印象の大きさを示す値に基づいて、ドキュメント情報を構成する要素であるドキュメント属性を変更し、変更されたドキュメント属性を用いてドキュメント情報を再表示するので、一般ユーザであっても、ドキュメントの想定される読者に対して作成者が予め意図するような印象を与えるように、ドキュメント属性を変更することを容易に可能とすることができる。
【００２５】
＜第２実施形態＞
本発明の第２実施形態に係わるドキュメント作成支援装置は、図１に示す本発明の第１実施形態に係わるドキュメント作成支援装置１と同様のハードウエア構成に適用することとする。
第１実施形態では、ドキュメント属性とドキュメント観察時の印象との関係を図３に示すような変換テーブルを用いていた。
これに対して、第２実施形態の説明に用いる図５は、図４に示す第１実施形態に係わるドキュメント作成支援装置１の動作を説明するためのフローチャートの一部を、Ｓ１３５、ステップＳ１５５に変更したことを特徴とする。
【００２６】
第２実施形態では、変換式を用いて演算する例について説明する。
例えば、各印象ｘの大きさＰ（ｘ）は、ｉ番目の面積を占める色の領域の色度値の関数ｆｉ（Ｌ＊，ａ＊，ｂ＊）、使用されているフォントの種類（ＩＤ）、色、サイズ（ポイント数）で決定される関数ｇ（Ｆ，ｃ，ｓ）、定数Ｃとすると、以下の式（１）のように表すことができる。
Ｐ（ｘ）＝ｆ１（Ｌ＊，ａ＊，ｂ＊）＋ｆ２（Ｌ＊，ａ＊，ｂ＊）＋ｆ３（Ｌ＊，ａ＊，ｂ＊）＋ｇ（Ｆ，ｃ，ｓ）＋Ｃ          （１）
図５において、実行ボタン１４ｇへのクリック操作を受け付けた後（Ｓ２５、Ｙｅｓ）、ステップＳ１３５では、ＣＰＵ１７は、入力された指示値の大きさ、すなわち、感性語「暖かく」に対応した印象の大きさとして例えば「３５」％がＲＡＭ１６に記憶されているので、ＣＰＵ１７は、ＲＡＭ１６から数値データ（３５％）を読み出す。
【００２７】
次いで、ＣＰＵ１７は、式（１）に基づいて、ドキュメント属性の変更量を算出する。
すなわち、印象の大きさを「３５」％増加させるには、印象ｘの大きさＰ（ｘ）に１．３５を乗算すればよい。
ここで、式（１）の両辺に１．３５を乗算すると、
１．３５Ｐ（ｘ）＝１．３５｛ｆ１（Ｌ＊，ａ＊，ｂ＊）＋ｆ２（Ｌ＊，ａ＊，ｂ＊）＋ｆ３（Ｌ＊，ａ＊，ｂ＊）＋ｇ（Ｆ，ｃ，ｓ）＋Ｃ｝
となる。
従って、ｉ番目の面積を占める色の領域の色度値の関数ｆｉ（Ｌ＊，ａ＊，ｂ＊）に対して、１．３５を乗算することで近似することができる。なお、この場合、関数ｇ（Ｆ，ｃ，ｓ）および定数Ｃについては１．３５の乗算を省略するが、省略せずに関数ｇ（Ｆ，ｃ，ｓ）および定数Ｃについても１．３５の乗算を行うようにしてもよい。
【００２８】
ステップＳ１５５では、ＣＰＵ１７は、表示中のドキュメント情報内でｉ番目に大きい面積を占める色の色度を変更する。すなわち、ＲＡＭ１６上に展開されているドキュメント情報の全ての文字列に対して、順次に色度値を抽出し、抽出した文字の色度値がｉ番目に大きい面積を占めている色度値と一致している場合には、当該文字の色度値の成分を示すＬ＊、ａ＊、ｂ＊を読み出し、Ｌ＊、ａ＊、ｂ＊に対して夫々に１．３５を乗算した値を算出し、加算結果を当該文字の色度値の成分として書き替える。
変更後のドキュメント情報は、表示部１４のドキュメント表示領域に再表示され、ユーザが目視確認することができる。
これにより、変更されたドキュメント属性を用いてドキュメント情報を再表示するので、一般ユーザであっても、ドキュメントの想定される読者に対して作成者が予め意図するような印象を与えるように、ドキュメント属性を変更することを容易に可能とすることができる。
【００２９】
＜第１変形例＞
図６を参照して、ドキュメント作成支援アプリケーションプログラムを実行することで表示部１４に表示される内容について説明する。
第１変形例では、図６において、表示部１４の表示画面１４ａ上にはドキュメント表示領域１４ｂ、データ入力領域１４ｈ、１４ｉが表示される。
データ入力領域１４ｈ、１４ｉには、人間の印象の大きさを示す値をゲージ（柱状グラフの長さ）として入力する入力欄が設けられ、ユーザのマウス操作によるカーソル移動に応じて、ゲージ位置の変更値を、ドキュメント情報の読者に対して与えたい印象の大きさの変更値として受け付ける。なお、ゲージ位置の変更値は０〜１００までの数値を有効とする。
実行ボタン１４ｇへのクリック操作を受け付けた場合、データ入力領域１４ｈ、１４ｉに入力された変更値データがＩ／Ｏコントローラ１５を介してＲＡＭ１６に一時的に保存される。
このように、ゲージを表示しておき、入力された印象の大きさを示す値に対応した長さのゲージを表示することで、ユーザの意図する印象の大きさを示す値を入力することができる。
【００３０】
＜第２変形例＞
図７を参照して、ドキュメント作成支援アプリケーションプログラムを実行することで表示部１４に表示される内容について説明する。
第２変形例では、図７において、表示部１４の表示画面１４ａ上にはドキュメント表示領域１４ｂ、レーダーチャート入力領域１４ｊが表示される。
レーダーチャート入力領域１４ｊには、人間の印象の大きさを示す値を軸１４ｋ上の位置として入力し、各軸上の位置がマウス操作によるドラッグ操作で移動できるようになっており、レーダーチャートの軸上の位置に対する変更値として受け付ける。なお、軸上の位置の変更値は０〜１００までの数値を有効とする。
実行ボタン１４ｇへのクリック操作を受け付けた場合、レーダーチャート入力領域１４ｊに入力された変更値データがＩ／Ｏコントローラ１５を介してＲＡＭ１６に一時的に保存される。
このように、レーダーチャートに対して入力された、少なくとも１種類の印象の大きさを示す値に対応した長さをレーダーチャートの軸１４ｋ上の位置として表示することで、ユーザの意図する印象の大きさを示す値を入力することができる。
【００３１】
＜第３変形例＞
図８を参照して、ドキュメント作成支援アプリケーションプログラムを実行することで表示部１４に表示される内容について説明する。
第３変形例では、図８において、表示部１４の表示画面１４ａ上にはドキュメント表示領域１４ｂ、円グラフ入力領域１４ｎが表示される。
円グラフ入力領域１４ｎには、人間の印象の大きさを示す値を円グラフの各領域１４ｏの広さとして入力し、各境界線１４ｐの位置がマウス操作によるドラッグ操作で移動できるようになっており、円グラフの各領域１４ｏに対する変更値として受け付ける。なお、各領域１４ｏの変更値は０〜１００までの数値を有効とする。
実行ボタン１４ｇへのクリック操作を受け付けた場合、円グラフ入力領域１４ｎに入力された変更値データがＩ／Ｏコントローラ１５を介してＲＡＭ１６に一時的に保存される。
このように、入力された少なくとも１種類の印象の大きさを示す値に対応した面積を円グラフの夫々の領域１４ｏの面積として表示することで、ユーザの意図する印象の大きさを示す値を入力することができる。
【００３２】
＜第４変形例＞
図９を参照して、ドキュメント作成支援アプリケーションプログラムを実行することで表示部１４に表示される内容について説明する。
第４変形例では、図９において、表示部１４の表示画面１４ａ上にはドキュメント表示領域１４ｂ、レーダーチャート入力領域１４ｑが表示される。
レーダーチャート入力領域１４ｑには、数値の入力を受け付けて印象（感性語）の数を入力する数指定欄１４ｒと、予め選択肢として用意された複数の感性語の何れか１つをマウスのカーソル操作によって選択可能な印象の種類選択欄１４ｓとを有する。
レーダーチャート入力領域１４ｑには、人間の印象の大きさを示す値を軸１４ｋ上の位置として入力し、各軸上の位置がマウス操作によるドラッグ操作で移動できるようになっており、レーダーチャートの軸上の位置に対する変更値として受け付ける。なお、軸上の位置の変更値は０〜１００までの数値を有効とする。
実行ボタン１４ｇへのクリック操作を受け付けた場合、レーダーチャート入力領域１４ｊに入力された変更値データがＩ／Ｏコントローラ１５を介してＲＡＭ１６に一時的に保存される。
【００３３】
図９では、レーダーチャートの軸１４ｋの端点付近に位置したプルダウンメニューとして感性語の選択肢を例示してある。
図９には、レーダーチャートの例のみを例示したが、ゲージ、円グラフ等に対してプルダウンメニューを用意して選択するように構成してもよい。
このように、プルダウンメニューから選択された感性語情報をレーダーチャートの軸１４ｋの先端位置の近傍に表示することで、ユーザの意図する感性語を用いることができる。
【００３４】
＜第５変形例＞
図１０を参照して、ドキュメント作成支援アプリケーションプログラムを実行することで表示部１４に表示される内容について説明する。
第４変形例では、図９に示すように、レーダーチャートの軸１４ｋの端点付近に位置したプルダウンメニューとして感性語の選択肢を例示して選択するように構成されていた。
これに対して、第５変形例では、レーダーチャートの軸１４ｋの端点付近に位置したテキスト入力欄１４ｕに対して、感性語を示すテキストをキーボードから入力することが例示してある。
図１０に示した本実施形態においては、レーダーチャートの例のみを例示したが、ゲージ、円グラフ等に対してテキスト入力欄を用意して入力するように構成してもよい。
このように、テキスト入力欄にテキスト情報が入力された場合に、当該テキスト情報を感性語情報としてレーダーチャートの軸１４ｋの先端位置の近傍に表示することができ、ユーザの意図する感性語を用いることができる。
【符号の説明】
【００３５】
１…ドキュメント作成支援装置、１１…補助記憶部、１２…表示制御部、１３…ＶＲＡＭ、１４…表示部、１５…コントローラ、１６…ＲＡＭ、１７…ＣＰＵ、１８…ＲＯＭ、１９…バス、２０…ネットワークインターフェース、Ｎ…ネットワーク
【先行技術文献】
【特許文献】
【００３６】
【特許文献１】特開平８−２４９４４１号公報
【図１】
2014006703.tif 000003
【図２】
2014006703.tif 000004
【図３】
2014006703.tif 000005
【図４】
2014006703.tif 000006
【図５】
2014006703.tif 000007
【図６】
2014006703.tif 000008
【図７】
2014006703.tif 000009
【図８】
2014006703.tif 000010
【図９】
2014006703.tif 000011
【図１０】
2014006703.tif 000012